(57)【要約】【課題】  ネットワークに接続された複数の機器でそれぞれ再生可能なコンテンツを機器を跨いで複数選択して再生を設定できるようにする。【解決手段】  テレビジョン受像機１０１にネットワークによって接続された複数の機器によって再生可能な全てのコンテンツの情報をネットワークを介して収集し、収集したコンテンツの情報を、再生のために複数のコンテンツを選択が可能な形態で表示部１１４で画面表示すると共に、当該画面によって選択されたコンテンツの再生順序とリピート再生の設定を行って選択されたコンテンツと設定情報を不揮発性メモリに記憶するように構成し、記憶した情報に基づいてく再生を実行できるようにした。【選択図】  図３
2005223687.tif 000002
【特許請求の範囲】
【請求項１】
テレビジョン受像機と、
このテレビジョン受像機とネットワークによって接続され、それぞれコンテンツが記録された記録媒体から当該コンテンツを再生する手段を備えた複数の機器と、
前記テレビジョン受像機に設けられ、複数の機器によって前記記録媒体から再生可能なコンテンツ情報を前記ネットワークを介して取得するコンテンツ情報取得手段と、
このコンテンツ情報取得手段によって取得されたコンテンツ情報から、前記異なる記録媒体に記録されているコンテンツを含む複数のコンテンツを再生コンテンツとして特定し、該特定したコンテンツ情報を記憶する再生コンテンツ特定手段と、
前記テレビジョン受像機に設けられ、ネットワークを介して前記複数の機器を制御し、前記記憶されたコンテンツ情報に対応するコンテンツを前記各記録媒体から再生し、再生信号を当該テレビジョン受像機で提示する手段と、
を具備したことを特徴とするコンテンツ再生システム。
【請求項２】
前記再生コンテンツ特定手段は、特定された複数のコンテンツの再生順序とリピート再生のいずれか一方または両方を設定可能であることを特徴とするコンテンツ再生システム。
【請求項３】
前記ネットワークがＩＥＥＥ１３９４シリアルバスによるものであることを特徴とする請求項１または２に記載のコンテンツ再生システム。
【請求項４】
前記ネットワークがＩＰネットワークであることを特徴とする請求項１または２に記載のコンテンツ再生システム。
【請求項５】
テレビジョン受像機と、それぞれ記録媒体に記録されたコンテンツを再生する手段を備えた複数の機器とをネットワークで接続するステップと、
前記各記録媒体に記録されているコンテンツ情報を前記ネットワークを介して取得するステップと、
取得されたコンテンツ情報の中から、前記異なる記録媒体に記録されているコンテンツを含む複数のコンテンツを再生コンテンツとして特定し、特定したコンテンツ情報を記憶するステップと、
前記ネットワークを介して前記複数の機器を制御し、前記記憶されたコンテンツ情報に対応するコンテンツを前記各記録媒体から再生し、前記テレビジョン受像機で提示するステップと、
を具備したことを特徴とするコンテンツ再生方法。
【請求項６】
それぞれ記録媒体に記録されたコンテンツを再生する手段を備えた複数の機器とネットワークで接続するインターフェースと、
前記ネットワークを介して前記複数の機器で前記記録媒体から再生可能なコンテンツ情報を取得するコンテンツ情報取得手段と、
このコンテンツ情報取得手段によって取得されたコンテンツ情報の中から、前記異なる記録媒体に記録されているコンテンツを含む複数のコンテンツを再生コンテンツとして特定し、特定したコンテンツ情報を記憶する再生コンテンツ選択手段と、
前記ネットワークを介して前記複数の機器を制御し、前記記憶されたコンテンツ情報に対応するコンテンツを前記各記録媒体から再生し、再生信号を受けて提示する再生制御手段と、
を具備したことを特徴とするテレビジョン受像機。
【発明の詳細な説明】
【技術分野】
【０００１】
本発明は、複数の記録媒体に記録されたコンテンツを再生するためのコンテンツ再生システム、再生方法及びテレビジョン受像機に関し、特にネットワークに接続された複数の再生機器を総括的に管理して、それぞれらに設けられた記録媒体からコンテンツを一括的に再生することを可能にしたコンテンツ再生システム、コンテンツ再生方法及びテレビジョン受像機に関する。
【背景技術】
【０００２】
一般家庭において、テレビジョン受像機で視聴するためのコンテンツを提供する機器として、放送を受信する機能を備えたテレビジョン受像機自身あるいはＳＴＢ（Set Top Box）はもとより、ＤＶＤ（Digital Versatile Disk）、ＶＴＲ（Video Tape Recorder）等、多くの機器が使われるようになってきており、また、従来ではＶＴＲ一体型を除いて録画機能を持っていなかったテレビジョン受像機、ＳＴＢもＨＤＤ（Hard Disk Drive）を記録媒体として放送番組あるいは外部入力信号を録画することができるようになってきている。
【０００３】
一方で、複数の機器の動作を、メインとなる機器から制御可能とするために、複数の機器をＩＥＥＥ（Institute of Electrical and Electronics Engineers）１３９４シリアルバスあるいはＩＰ（Internet Protocol）を用いるＬＡＮ（Local Area Network）で接続してネットワークを構築することも普及されつつある。
【０００４】
複数の機器をネットワークに組み込む場合、通常は、表示手段を備えるテレビジョン受像機をメインの機器として、その表示手段に各機器の動作を制御するためのＧＵＩ（Graphical User Interface）形式のメニュー画面等を表示させて、各機器毎に、録画予約、録画コンテンツの選択と再生等の動作を実行させ、管理することが可能である。
【０００５】
各機器の動作は、基本的には、他の機器の動作に影響されることなく各機器単独で実行されるものであり、録画する場合でも、同じ時間帯で、それぞれ録画を実行させることが可能である。
【０００６】
しかしながら、再生動作については、通常はテレビジョン受像機を用いて映像及び音声の提示を行なうものであるため、各機器の再生動作は同じ時間で重なることなく管理される必要がある。
【０００７】
したがって、複数の機器に記録されているコンテンツを再生する場合には、まず一つの機器の記録媒体に記録されたコンテンツの選択と再生起動を実行させ、再生したい全てのコンテンツの再生を済ませてから、他の機器の記録媒体に記録されたコンテンツを選択し、再生起動をかけるという操作を行なう必要があり、使い勝手がよくないという問題があった。
【０００８】
例えば、複数の機器の記録媒体に記録されたコンテンツから、機器に跨って複数のコンテンツを選択して、それを所定の順序で再生したり、さらにはリピート再生できるようになれば、用途がさらに広がると思われるがそのような構成を具体化した提案はなされていない。
【０００９】
例えば、特許文献１には、ネットワークに接続された複数の機器を仮想的な多連装型の機器として使用できるようにした提案が開示されているが、この提案においては、各機器の記録媒体に記録されているトラック（タイトル）を同じＧＵＩ画面で共通に選択して再生できるようにしたものであり、同じＧＵＩ画面で、各機器のトラックの選択と再生起動を行なわせることができるもの、一つのトラックの再生が完了したら、次のトラックを選択して再生するという操作が必要であり、基本的な使い勝手は、前述の従来例と同じである。
【特許文献１】特開２００１−２２９１１４号公報（第７，８頁、図６，７）
【発明の開示】
【発明が解決しようとする課題】
【００１０】
以上のように、従来、それぞれコンテンツが記録された記録媒体を備えた複数の機器をネットワーク接続して、各機器の動作を共通に制御して所望のコンテンツを再生しようとする提案がなされているが、各機器のコンテンツはそれぞれ独立的に再生できるようにした機能が備えられているでけであり、使い勝手の点で改善の余地があった。
【００１１】
本発明は、以上の点に鑑みてなされたものであり、ネットワーク接続された複数の機器を跨って、複数のコンテンツを所定の順次で、しかもリピート可能に再生できるように構成することで、再生の形態に多様性をもたらせて実用性を高めたコンテンツ再生システム、コンテンツ再生方法及びテレビジョン受像機を提供することを目的とする。
【課題を解決するための手段】
【００１２】
本発明のコンテンツ再生システムは、テレビジョン受像機と、このテレビジョン受像機とネットワークによって接続され、それぞれコンテンツが記録された記録媒体から当該コンテンツを再生する手段を備えた複数の機器と、前記テレビジョン受像機に設けられ、複数の機器によって前記記録媒体から再生可能なコンテンツ情報を前記ネットワークを介して取得するコンテンツ情報取得手段と、このコンテンツ情報取得手段によって取得されたコンテンツ情報から、前記異なる記録媒体に記録されているコンテンツを含む複数のコンテンツを再生コンテンツとして特定し、該特定したコンテンツ情報を記憶する再生コンテンツ特定手段と、前記テレビジョン受像機に設けられ、ネットワークを介して前記複数の機器を制御し、前記記憶されたコンテンツ情報に対応するコンテンツを前記各記録媒体から再生し、再生信号を当該テレビジョン受像機で提示する手段と、を具備したことを特徴とする。
【００１３】
本発明のコンテンツ再生方法は、テレビジョン受像機と、それぞれ記録媒体に記録されたコンテンツを再生する手段を備えた複数の機器とをネットワークで接続するステップと、前記各記録媒体に記録されているコンテンツ情報を前記ネットワークを介して取得するステップと、取得されたコンテンツ情報の中から、前記異なる記録媒体に記録されているコンテンツを含む複数のコンテンツを再生コンテンツとして特定し、特定したコンテンツ情報を記憶するステップと、前記ネットワークを介して前記複数の機器を制御し、前記記憶されたコンテンツ情報に対応するコンテンツを前記各記録媒体から再生し、前記テレビジョン受像機で提示するステップと、を具備したことを特徴とする。
【００１４】
本発明のテレビジョン受像機は、それぞれ記録媒体に記録されたコンテンツを再生する手段を備えた複数の機器とネットワークで接続するインターフェースと、前記ネットワークを介して前記複数の機器で前記記録媒体から再生可能なコンテンツ情報を取得するコンテンツ情報取得手段と、このコンテンツ情報取得手段によって取得されたコンテンツ情報の中から、前記異なる記録媒体に記録されているコンテンツを含む複数のコンテンツを再生コンテンツとして特定し、特定したコンテンツ情報を記憶する再生コンテンツ選択手段と、前記ネットワークを介して前記複数の機器を制御し、前記記憶されたコンテンツ情報に対応するコンテンツを前記各記録媒体から再生し、再生信号を受けて提示する再生制御手段と、を具備したことを特徴とする。
【発明の効果】
【００１５】
本発明によれば、ネットワークに接続された複数の機器でそれぞれ記録媒体から再生可能なコンテンツの中から異なる機器で再生されるコンテンツを含む複数のコンテンツを選択し、それを連続的に再生させることが可能であり、しかもリピート再生を行なわせることもできるので、使い勝手の良好なシステムを提供することができるものである。
【発明を実施するための最良の形態】
【００１６】
以下、図面を参照しながら本発明のコンテンツ再生システムの一実施の形態を詳細に説明する。  
図１は、本発明のコンテンツ再生システム１００の一実施の形態を示す回路ブロック図である。図１において、コンテンツ再生システム１００は、テレビジョン受像機１０１と、このテレビジョン受像機１０１に対してＩＥＥＥ１３６４ケーブル１０２で接続された、第１の記録再生機器であるＨＤＤ１０３と第２の記録再生機器であるＤＶＤレコーダ１０４で構成され、テレビジョン受像機１０１がメイン機器として機能する。
【００１７】
なお、図１では、ＨＤＤ１０３とＤＶＤレコーダ１０４は、テレビジョン受像機１０１と別体に設けられたものとして示されているが、そのいずれか一方あるいは両方をテレビジョン受像機１０１筐体内に一体的に組み入れてもよい。さらに他の記録再生機器をネットワークに接続することも当然可能である。
【００１８】
テレビジョン受像機１０１は、アンテナ１０５でキャッチされた放送電波が供給されるアンテナ入力端子１０６を有している。アンテナ入力端子１０６はチューナ１０７に接続され、チューナ１０７でアンテナ１０５からの放送信号の中から所望のチャンネルの選局が行なわれる。
【００１９】
選局されたチャンネルの受信信号は、復調部１０８で復調されて、誤り訂正等の処理を施され、ＭＰＥＧ（Moving Picture Experts Group）２のＴＳ（Transport Stream）としてデマルチプレクサ１０９に出力される。
【００２０】
デマルチプレクサ１０９では、ＴＳを構成する各種パケットをパケット毎に分離抽出して出力する。例えば番組を構成するＰＥＳ（Packetized Elementary Stream）は、デコーダ１１０に供給されて、ここでデコードされる。ＰＥＳに含まれる映像パケットは例えばＭＰＥＧ２規格に基づいて復号されて、非圧縮のデジタル映像信号としてグラフィック処理部１１１に導出される。
【００２１】
グラフィック処理部１１１には、ＯＳＤ（On Screen Display）信号生成部１１２からのＯＳＤ信号も供給されており、デコーダ１１０からのデジタル映像信号に、ＯＳＤ信号生成部１１２で生成されるＯＳＤ信号を重畳して出力する。あるいは、グラフィック処理部１１１は、デコーダ１１０の出力と、ＯＳＤ信号生成部１１２の出力を択一的に切換えて出力するか、または両出力がそれぞれ画面の半分を構成するように組合わせて出力する。
【００２２】
グラフィック処理部１１１の出力は映像信号処理部１１３に供給され、ここで適宜処理が施された後、表示部１１４に供給されてその画面に表示される。
【００２３】
また、デコーダ１１０は、ＰＥＳに含まれる音声パケットもデコードして非圧縮のデジタル音声信号として音声信号処理部１１５に出力する。音声信号処理部１１５によって、音声信号に適宜処理を施した後、スピーカ等で構成される音声出力部１１６から音声として出力する。
【００２４】
以上のようにして、放送番組を受信して、その視聴をすることが可能となるが、実際の放送番組の視聴には、例えばチューナ１０７による選局チャンネルの特定等、テレビジョン受像機１０１を構成する各部の動作、機能を調整する必要があり、そのために制御部１１７が設けられている。
【００２５】
制御部１１７は、例えばＭＰＵ（Micro Processing Unit）で構成され、チューナ１０７のチャンネル切換え、デマルチプレクサ１０９のパケット分離抽出、デコーダ１１０のデコード、重畳部１０７の制御、映像信号処理部１１３の制御及び音声信号処理部１１５の制御等を行なう。
【００２６】
このため、制御部１１７には、各種処理プログラムが格納されたＲＯＭ（Read Only Memory）１１８、ワークメモリとしてのＲＡＭ（Random Access Memory）１１９の他、設定用のデータを保存するための不揮発性メモリ１２０が接続されている。なお、ＲＯＭ１１８には、各種アプリケーションソフトの他、ＯＳＤ信号生成部１１２でＯＳＤ信号を生成するための、文字、記号、キャラクタ等のデータも保存されている。
【００２７】
さらに、制御部１１７には、赤外線受光部１２１と操作入力部１２２が接続されており、赤外線受光部１２１は、リモートコントローラ１２３からのリモコン信号を受けてこれを制御部１１７に導出する。また、操作入力部１２２は、テレビジョン受像機１０１の例えば前面パネルに設けられた複数のスイッチで構成され、リモートコントローラ１２３と併せて、ユーザがテレビジョン受像機１０１の機能の切換え、調整、動作設定等を行なう際に操作されるものである。
【００２８】
さらに、制御部１１７には、ＩＥＥＥ１３９４Ｉ／Ｆ（Interface）１２４が接続されている。ＩＥＥＥ１３９４Ｉ／Ｆ１２４はＩＥＥＥ１３６４ケーブル１０２を介して他の機器と接続するためのインターフェースであり、コネクタ１２５を備えている。またＨＤＤ１０３、ＤＶＤレコーダ１０４もそれぞれ図示しないＩＥＥＥ１３９４Ｉ／Ｆを内蔵しており、ＨＤＤ１０３はコネクタ１２６，１２７を備え、ＤＶＤレコーダ１０４はコネクタ１２８を備えている。
【００２９】
テレビジョン受像機１０１のＩＥＥＥＥ１３９４Ｉ／Ｆ１２４のコネクタ１２５とＨＤＤ１０３のコネクタ１２６がＩＥＥＥ１３９４ケーブル１０２で接続され、さらにＨＤＤ１０３のコネクタ１２７とＤＶＤレコーダ１０４のコネクタ１２８がＩＥＥＥ１３９４ケーブル１０２で接続されることで、テレビジョン受像機１０１とＨＤＤ１０３とＤＶＤレコーダ１０４がネックワーク接続されることになる。
【００３０】
図２にリモートコントローラ１２３のキー配置の例を示す。図２に示すように、リモートコントローラ１２３は、チャンネル切換え、あるいは数字データ入力時等に使用する数字キー２０１と、画面上の項目を選択するためのカーソルキー２０２と、カーソルキー２０２で選択した項目を登録するための決定キー２０３を有し、さらに、チャンネルをアップ／ダウン選局するためのチャンネルアップ／ダウンキー２０４と、音量を増大させ、または減少させるための音量調整キー２０５と、テレビジョン受像機１０１の電源をオン／オフするための電源キー２０６を有する。
【００３１】
さらにリモートコントローラ１２３は、ＩＥＥＥ１３９４ネットワークを起動するためのネットワークキー２０７と、再生タイトルの選択等再生のための設定を行なう画面を立ち上げる再生設定キー２０８と、処理を終了させる終了キー２０９と、表示画面を戻す際等に使用する戻るキー２１０を備え、さらに各種機能を設定するためのメニューを画面表示させるためのメニューキー２１１を備える。
【００３２】
テレビジョン受像機１０１において、放送番組を視聴するには、ユーザはリモートコントローラ１２３の数字キー２０１を操作して直接チャンネル番号を入力するか、あるいはチャンネルアップ／ダウンキー２０４を操作して所望のチャンネルの選局を実行させるべく、リモコン信号を赤外線受光部１２１を介して制御部１１７に送出する。
【００３３】
制御部１１７はそれを受けて、チューナ１０７に対して選局信号を導出し、所定のチャンネルの選局を実行させ、さらにそのチャンネルの受信信号のＰＥＳをデマルチプレクサ１０５で分離抽出させて、デコーダ１１０に導出させる。
【００３４】
デコーダ１１０で映像及び音声のＰＥＳを復号して、映像信号についてはグラフィック処理部１１１、映像処理部１０９を介して表示部１１４で表示させ、音声信号については音声信号処理部１１１を介して音声出力部１１２から音声として出力する。それによって、チューナ１０７で選局されたチャンネルの視聴が行なわれる。
【００３５】
以上のように構成されたシステム１００において、ＨＤＤ１０３，ＤＶＤレコーダ１０４は、いずれも記録と再生の両方の機能を有しており、ＨＤＤ１０３についてはＨＤ（Hard Disk）に、またＤＶＤレコーダ１０４はＤＶＤにテレビジョン信号を録画することが可能であり、その録画を実行させるには、リモートコントローラ１２３のネットワークキー３０７を操作する。
【００３６】
それによって、制御部１１７が、赤外線受光部１２１を介してリモートコントローラ１２３からのリモコン信号を受け、ＩＥＥＥ１３９４ネットワークを立ち上げ、ＩＥＥＥ１３９４Ｉ／Ｆ１２４を介して、そのシリアルバスに接続されている全ての機器の情報を収集し、機器のリスト表を生成して、ＯＳＤ信号生成部１１２からグラフィック処理部１１１、映像信号処理部１１３を介して表示部１１４で表示する。
【００３７】
表示されたリストから、録画機器として使用したい機器をリモートコントローラ１２３で選択すると、選択された機器のパネルサブユニットから機器を制御するためのＧＵＩ形式の画像を構成するデータが伝送され、制御部１１７が、ＩＥＥＥ１３９４Ｉ／Ｆ１２４を介してそれを受けて、選択した機器の操作パネルに対応する画像を構築して表示部１１４に表示する。
【００３８】
表示された操作パネルに対応した画像は、例えば録画ボタン、再生ボタン、一時停止ボタン等を含み、リモートコントローラ１２３のカーソルキー２０２を録画ボタンに移動させ、決定キー２０３を操作する。
【００３９】
それによって、テレビジョン受像機１０１のデマルチプレクサ１０９から出力されるＴＳそのもの、あるいはＰＥＳが、ＩＥＥＥ１３９４Ｉ／Ｆ１２４を介して選択した機器、例えばＨＤＤ１０３に供給され、さらにＨＤＤ１０３に対して録画動作を実行させるＡＶ／Ｃコマンドを送り、録画を実行させる。
【００４０】
あるいは、またテレビジョン受像機１０１で受信される将来の放送番組について、予め録画予約を行なうことも可能であり、予約した番組の放送が開始された際に、そのＴＳ（あるいはＥＰＳ）と共に、録画コマンドをＨＤＤ１０３あるいはＤＶＤレコーダ１０４に送ってその動作を制御するように構成することが可能である。
【００４１】
なお、以上の説明では、各機器の制御をＩＥＥＥ１３９４のパネルサブユニットに基づいて、操作パネルを画面表示させて行なうものとしたが、リモートコントローラのキーで直接的に動作を制御するように構成することもできるものである。
【００４２】
以上のようにして、ＨＤＤ１０３あるいはＤＶＤに録画されたコンテンを再生するには、録画時と同様にリモートコントローラ１２３のネットワークキー２０７を操作して、ネットワークに接続されている機器のリストを表紙部１１４で表示させ、次に再生動作をさせたい機器を選択することで、その機器に記録されているタイトルのリストを表示させ、再生したいタイトルを選択する。次に表示されている操作パネルの再生ボタンを選択して決定キーを押すことでそのタイトルの再生を行わせることができる。
【００４３】
制御部１１７は、再生されたタイトルのＴＳあるいはＰＥＳを、ＩＥＥＥ１３９４Ｉ／Ｆ１３９４１２４を介して読み込み、これをデマルチプレクサ１０９からデコーダ１１０に送って復号させ、映像信号は、グラフィック処理部１１１、映像信号処理部１１３を経て表示部１１４に供給してこれを表示させる。音声信号は、音声処理部１１５を経て音声出力部１１６から出力する。
【００４４】
以上説明した再生を実行させるための手順は、通常の再生操作手順であり、各記録機器それぞれに独立した再生動作を実行させるものである。本発明では、ネットワークに接続されている全ての記録再生機器にそれぞれ記録されているタイトルを一つのリストとして表示させ、その中から再生したいタイトルの選択と、再生順序の設定及びリピート再生の設定を可能にしたものである。
【００４５】
すなわち、図１に示すシステムでは、まず、ＨＤＤ１０３，ＤＶＤレコーダ１０４にいかなるコンテンツが記録されているかということを探知し、そのリストを生成して不揮発性メモリ１２０に記憶させ、次にそれを読み出して画面表示させて、リモートコントローラを操作して再生のための各種設定を行うという操作手順を踏むことになる。
【００４６】
より詳細に説明すると、ユーザは、リモートコントローラ１２３の再生設定キー２０８を操作する。それによって、制御部１１７は、例えばＩＥＥＥ１３９４のＡＶ／Ｃ（Audio Video Control）コマンドを用いて、ＨＤＤ１０３，ＤＶＤレコーダ１０４に記憶されているコンテンツのタイトル情報を読み出して、それらをＡＶ／Ｃコマンドで制御可能な状態で、不揮発性メモリ１２０に記憶させる。
【００４７】
さらに制御部１１７は、その不揮発性メモリ１２０に記憶したタイトル情報を読み出して、表示部１１４で表示可能な形態のリストとして構築して、ＯＳＤ信号生成部１１２を介してグラフィック制御部１１１に導出し、それを映像信号処理部１１３から表示部１１４に供給して表示させる。ユーザは、そのリストに基づいて、再生したいタイトルの選択と、さらに、複数のタイトルを選択した場合に、その再生順序と、リピート再生を行なうか否かの設定を行なうものである。
【００４８】
図３は、ＨＤＤ１０３とＤＶＤレコーダ１０４に記録されているタイトルのリストに対して、再生したいタイトルの選択と、再生順序、リピート再生を行なうか否かを設定可能にしたＵＧＩ形式の画面表示の例を示すものである。
【００４９】
図３では、機器（ＨＤＤかＤＶＤ）毎に記録されているタイトルと、そのコンテンツの属性情報を表形式で示し、さらに各タイトル毎に再生の選択と再生順序とリピート再生の設定を行なうための入力欄が設けられた表３０１として構築されている。
【００５０】
すなわち、表３０１の最も左の列３０２が機器種別を示す列で、次の列３０３がタイトルであり、次の列３０４にタイトルの属性として、そのタイトルが提供されたソース、すなわちチャンネル番号あるいは他の機器名が示されている。数字１，４は地上波放送のチャンネル番号であり、１０３は衛星デジタル放送のチャンネル番号であり、ＢＳ７は衛星アナログ放送のチャンネル番号であり、ＶＴＲ（Video Tape Recorder）はＶＴＲの再生信号を録画したもの、すなわちダビングしたものであることを示す。
【００５１】
さらに次の列３０５は、そのタイトルを再生する際に必要な時間を示しているもので、つまり放送番組を録画したものである場合、番組が何時間（何分）番組であるかということを示す。また、列３０６は、そのタイトルを録画した日時を示示している。
【００５２】
さらに次の列３０７は、再生するタイトルとして選択する際に、フラグを立てる（表示色を変える）列であり、次の列３０８が選択したタイトルの再生順序を入力する列であり、最も右の列３０９がリピート再生を実行させる際にフラグを立てる（表示色を変える）列である。
【００５３】
また、表３０１の外側の画面左上に、再生設定処理を終了させるための終了ボタン３１０表示が設けられ、さらに画面右上に設定操作を終えた後、実際に再生を実行させるめの再生ボタン３１１表示が設けられている。
【００５４】
図３に示す表３０１を表示部１１４に表示させる処理、及びこの表３０１に基づいて、再生タイトルの選択、再生順序入力、リピート再生の設定処理及び再生動作の起動については、ユーザがテレビジョン受像機１０１用のリモートコントローラ１２３を操作することで実行される。
【００５５】
すなわち、表示されたタイトルリストから、再生したいタイトル選んでその再生設定列３０７に、リモートコントローラ１２３のカーソルキー２０２を操作してカーソルを合わせて、決定キー２０３を操作することで、そのタイトルを再生するための選択処理が実行される。その結果その欄の表示色が変化し、設定がなされたことが確認できる。図３では、タイトルとして、ＨＤＤ１０３に録画されている「世界の料理」、ＤＶＤに記録されている「世界の美術館」及び「ミシシッピーを下る」が選択されていることを示している。
【００５６】
次にユーザは、選択したタイトルの再生順序を設定する。この設定は、リモートコントローラ１２３のカーソルキー２０２で、列３０７の対応する欄にカーソルを移動させてから数字入力キー２０１を使って順番を示す数字を入力することで行う。
【００５７】
図３では、「ミシシッピーを下る」「世界の料理」「世界の美術館」の順に再生されるように設定されていることを示している。
【００５８】
次の操作として、リピート再生の設定を行う。リピート再生を行わせる場合には、ユーザはカーソルキー２０２と決定キー２０３で設定を行い、その結果、画面上では、列３０９の該当する欄の表示色が変更される。図３では、リピート再生が設定されていることを示している。
【００５９】
再生設定の処理を終了する場合は、終了ボタン３１０にカーソルを合わせて決定キー２０３を操作することで、設定したデータが不揮発性メモリ１１６に記憶される。
【００６０】
次にユーザが、カーソルを再生ボタン３１１に合わせて決定キー２０３を操作することで、再生が開始される。すなわち、図３に示す表示から、再生映像の表示に切換えられ、設定したタイトルが設定した順序で、かつ繰り返し再生されることになる。
【００６１】
以上のように、図１に示すシステムにおいては、ネットワークに接続されている全ての録画再生機器の記録媒体に記録されているタイトルのリストを表示させ、その中から、再生したい複数のタイトルを一度に設定する場合に、その再生順序とリピート再生させるか否かを設定できるように構成されているため、異なる記録媒体であるか否かに関わりなく、記録媒体を跨いだ、複数のタイトルの再生設定を行わせることができるため、その操作性が著しく向上するものである。
【００６２】
なお、図１のシステムでは、ＤＶＤレコーダ１０４を適用しているが、本発明では記録機能は必ずしも必要がないので、ＤＶＤプレーヤとすることも可能であることは述べるまでもない。
【００６３】
また、再生タイトルの選択と、再生順次及びリピート再生の設定は、図３に示す表だけでなく、対話形式で設定できるようになれば、さらにユーザフレンドリーであり、操作性が向上するものである。
【００６４】
図４は、対話形式での設定画面の例を示すものである。この場合にも、リモートコントローラ１２３を操作して設定することには変わりない。すなわち、ユーザがリモートコントローラ１２３の再生設定キー２０８を操作すると、制御部１１７は、例えばＩＥＥＥ１３９４のＡＶ／Ｃ（Audio Video Control）コマンドを用いて、ＨＤＤ１０３，ＤＶＤレコーダ１０４に記憶されているコンテンツのタイトル情報を読み出して、それらをＡＶ／Ｃコマンドで制御可能な形態で、不揮発性メモリ１２０に記憶させる。
【００６５】
制御部１１７は、さらに、不揮発性メモリ１２０に記憶させた情報に基づいて、図４（ａ）に示す再生タイトル選択画面を表示部１１４に画面表示させる。図４（ａ）の表示画面４０１においては、「再生タイトル選択」表示の下に、カーソルで選択して決定キーで確定する旨の操作説明がなされ、次いで、ＨＤＤ１０３，ＤＶＤレコーダ１０４にそれぞれ録画されているタイトル４０２，４０３が表示されている。また、表示画面４０１の下方には、再生順序と、リピート再生を設定するための項目４０４，４０５が表示されている。さらに画面４０１の右上には、処理を終了する終了ボタン４０６と再生を実行させる再生ボタン４０７が表示されている。
【００６６】
ユーザは、リモートコントローラ１２３のカーソルキー２０２と決定キー２０３を操作して、再生したいタイトルを選択する。複数のタイトルが設定された場合、再生順次の設定が可能となり、項目４０４の「はい」にカーソルを合せて決定キー２０３を操作する。リピート再生の設定を行なう場合には、項目４０５の「はい」にカーソルを合せて決定キー２０３を操作する。
【００６７】
項目４０４，４０５がいずれも「いいえ」の場合、終了ボタン４０６にカーソルを合せて決定キー２０３で確定して情報を不揮発性メモリ１２０に記憶させる。次いで再生４０７ボタンにカーソルを合せて、決定キー２０３で再生を開始させる。
【００６８】
図４（ａ）の項目４０４，４０５が「はい」に設定された場合には、図４（ｂ）の画面に切換えられ、再生順序とリピート再生の設定が行なわれる。図４（ｂ）では、図４（ａ）で選択されたタイトルが表示され、各タイトルに対応して再生順序を入力する入力欄４０８と、リピート再生を行なうか否か設定する項目４０９が表示され、さらに処理を終了する終了ボタン４１０と再生を実行させる再生ボタン４１１が表示されてい。
【００６９】
ユーザは、リモートコントローラ１２３の数字キー２０１を操作して入力欄４０８に再生順序の数字を入力し、さらにタイトルを繰り返し再生させる場合には、項目４０９の「はい」カーソルを合せて、決定キー２０３で確定する。
【００７０】
全ての設定が終了したら、再生ボタン４１１で再生を開始させる。設定を途中で中止する場合には、終了ボタン４１０で終了し、設定した情報を不揮発性メモリ１２０に記憶させ、再生を実行させる場合には、再生ボタン４１１で再生を行なわせる。リモートコントローラ１２３の戻るキー２１０を操作するか終了キー２０９を操作することで、再生タイトル選択処理を中止させることが可能である。
【００７１】
図４に示す実施の形態では、対話形式で再生タイトルの選択と、再生順序及びリピート再生の設定が実行できるため、よりユーザフレンドリーな操作が可能となるものである。
【００７２】
また、図１に示すシステムでは、ＨＤＤ１０３とＤＶＤレコーダ１０４をＩＥＥＥ１３９４シリアルバスで接続してネットワークを構築しているが、ＩＰ（Internet Protocol）を用いて、ネットワークを構築するように構成することもできる。
【００７３】
図５は、ＩＰを用いてネットワークを構築した形態を示すものであり、図において、図１と同じ構成部分に同じ符号を付して詳細な説明は省略する。
【００７４】
図５に示す本発明の他の実施の形態では、コンテンツ再生システム５００は、テレビジョン受像機５０１と、ルータ５０２と、ＨＤＤ５０３及びＤＶＤレコーダ５０４を備えている。
【００７５】
テレビジョン受像機５０１は、制御部１１７に接続された通信Ｉ／Ｆ５０５を有し、この通信Ｉ／Ｆ５０５が端子５０６を介してケーブル５０７によってルータ５０２に接続されている。ＨＤＤ５０３及びＤＶＤレコーダ５０４も内部に通信Ｉ／Ｆを備え、ルータ５０２とケーブル５０７でそれぞれ接続されている。
【００７６】
テレビジョン受像機５０１は、ルーター５０２を介してＨＤＤ５０３，ＤＶＤレコーダ５０４とデータのやり取りを実行させるためのアプリケーションプログラムをＲＯＭ１１８に備えており、あたかも、ＨＤＤ５０３、ＤＶＤレコーダ５０４が接続されたパソコンのように、それらに記録されているタイトルの管理を実行させることが可能である。
【００７７】
ユーザは、リモートコントローラ１２３のネットワークキー２０７を操作すると、制御部１１７はそれを受けて、ＲＯＭ１１８に記憶されたアプリケーションを起動し、通信Ｉ／Ｆ５０５、ルータ５０２を介してＨＤＤ５０３，ＤＶＤレコーダ５０４に記録されたタイトル情報を取得し、その一覧を図６に示すにように表示部１１４に表示させる。
【００７８】
すなわち、図６は、テレビジョン受像機とネットワーク接続されている、全ての機器と、各機器の記録媒体に記録されているコンテンツのタイトルの一覧を表示した例を示すもので、図５の実施の形態に対応したものである。図６において、画面６０１に、ネットワーク接続された、ＨＤＤを示すマーク６０２と、ＤＶＤレコーダを示すマーク６０３が示され、さらにそれぞれのマーク６０２，６０３の下に、記録媒体に記録されているタイトル表示６０４，６０５がなされている。
【００７９】
さらに、画面６０１の右上には、再生タイトルの選択、再生順序及びリピート再生処理に移行するための再生選択／設定ボタン６０６の表示がなされている。
【００８０】
ユーザは、この画面で各タイトル単独での再生を実行させることが可能である。例えば、タイトルにカーソルを合せて、決定キー２０３を、パソコンマウスのダブルクリックの要領で操作すればよい。
【００８１】
複数のタイトルの再生設定を行なうには、図６の画面６０１の再生選択／設定ボタン６０６にカーソルを合せて、決定キー２０３を操作する。それによって、図１の実施の形態と同様に、図３に示す表が画面表示され、再生タイトルの選択と、再生順序の設定及びリピート再生の設定が可能となる。あるいは、図４に示すような、対話形式の設定も可能である。
【００８２】
以上のように、図５に示す実施の形態においては、ＩＰによってネットワーク接続された機器に記録されたタイトルを、あたかもパソコンのファイル一覧表示のように表示させると共に、再生タイトルの選択と再生順序の設定及びリピート再生の設定を行なわせることが可能であり、その操作性が向上するものである。
【００８３】
なお、図５に示す実施の形態では、ＨＤＤ５０３，ＤＶＤレコーダ５０４で再生された信号はＩＰネットワークを介してテレビジョン受像機１０１に取り込まれるように構成されてといるが、ＩＰネットワークはＨＤＤ５０３、ＤＶＤレコーダ５０４の動作の制御のために利用し、それぞれから再生された信号は、ＩＰネットワークとは別の、通常テレビジョン受像機に再生信号を供給している出力端子から出力するように構成することも当然可能である。テレビジョン受像機５０１の通常の外部入力端子からそれを取り込むことが可能である。
【００８４】
図７は、図１及び図５に示すシステムの動作を改めて説明するためのフローチャートであり、特にコンテンツの選択と、再生順序及びリピート再生の設定が終了した後での、再生動作をより詳しく説明するものである。
【００８５】
図７において、ステップＳ７０１で開始され、ステップＳ７０２で、ネットワークに接続された機器が搭載されている記録媒体に記録されているコンテンツの情報を、ネットワークを介して収集し、次いでステップＳ７０３で、取得したコンテンツ情報に基づいて、再生コンテンツの選択、再生順序及びリピート再生設定のための映像を構築して表示する。
【００８６】
次にステップＳ７０４で、表示された映像によって再生コンテンツの選択と、再生順序及びリピート再生の設定を適宜行う。次いでステップＳ７０５で終了コマンドが入力されたか否かの判定がなされ、終了コマンドが入力されたと判定されたら、ステップＳ７０６で、選択されたコンテンツと、再生順序及びリピート再生の設定情報を不揮発性メモリ１２０に記憶させる。
【００８７】
次に、ステップＳ７０７で再生が起動されたか否かの判定がなされ、再生が起動されたら、ステップＳ７０８で選択されたコンテンツが複数か否かの判定がなされる。複数である場合には、ステップＳ７０９で再生順序が設定されているか否かの判定が選なされ、再生順序の設定がされている場合には、次いでステップＳ７１０で選択されたコンテンツを設定された再生順序でかつリピート再生の設定の有無に基づいて再生する。
【００８８】
次にステップＳ７１１で再生が終了したかまたは終了コマンドが入力されたか否かの判定がなされ、それぞれが否の場合再生が継続される。このステップＳ７１１の判定は、リピート再生の設定の有無によって変わってくるものであり、リピート再生が設定されていなければ、再生対象の全てのコンテンツの再生が終了したら、ステップＳ７１２で処理を終了し、リピート再生の設定がされていれば、終了コマンドが入力されることでステップＳ７１２で処理を修了する。
【００８９】
ステップＳ７０８で、選択されたコンテンツが単数であると判定された場合には、ステップＳ７１３に移って、選択されたコンテンツをリピート再生の設定の有無に基づいて再生する。すなわち、リピート再生が設定されていれば、繰り返し再生し、設定されていなければ、一回の再生で再生処理を終了する。
【００９０】
ステップＳ７１４では、再生を終了する条件になったか否かを判定しており、リピート再生が設定されていなければ、再生が終了したことでステップＳ７１２で処理を終了し、リピート再生が設定されていれば終了コマンドが入力されたことでステップＳ７１２に移って処理を終了する。
【００９１】
そのような条件になるまで、ステップＳ７１３の処理が継続される。
【００９２】
また、ステップＳ７０９で再生順序が設定されていないと判定された場合には、ステップＳ７１５で、選択されたコンテンツを所定の順序で、リピート再生の設定の有無に基づいて再生する。所定順序とは、例えば記録日時の古い順等であり、リピート再生の設定がなされていない場合には、全てのコンテンツの再生が終了した場合に再生を終了し、リピート再生が設定されていれば、繰り返し再生することになる。
【００９３】
ステップＳ７１６では、再生を終了する条件になったか否かを判定しており、リピート再生が設定されていなければ、全てのコンテンツの再生が終了したことでステップＳ７１２に移って処理を終了し、リピート再生が設定されてれば終了コマンドが入力されたことでステップＳ７１２に移って処理を終了する。そのような条件になるまで、ステップＳ７１５の処理が継続される。
【００９４】
以上説明したように、本発明のコンテンツ再生システムによれば、ネットワークに接続された複数の機器で、記録媒体から再生可能なコンテンツから自由に選択したコンテンツを、連続的に再生させることが可能であり、しかもリピート再生を行なわせることもできるので、使い勝手の良好なシステムを提供することができるものである。
【図面の簡単な説明】
【００９５】
【図１】本発明に係るコンテンツ再生システムの一実施の形態を示す回路ブロック図。
【図２】図１のシステムに組み込まれるテレビジョン受像機に適用されるリモートコントローラのキー配置の一例を示す図。
【図３】図１のシステムの動作の一例を説明するための図。
【図４】図１のシステムの他の動作例を説明するための図。
【図５】本発明に係るコンテンツ再生システムの他の実施の形態を示す回路ブロック図。
【図６】図５のシステムの動作を説明するための図。
【図７】図１，５のシステムの動作を説明するためのフローチャート。
【符号の説明】
【００９６】
１００，５００…コンテンツ再生システム
１０１，５０１…テレビジョン受像機
１０２…ケーブル
１０３，５０３…記録再生機器（ＨＤＤ）
１０４，５０４…記録再生機器（ＤＶＤレコーダ）
１０５…アンテナ
１０６…アンテナ入力端子
１０７…チューナ
１０８…復調部
１０９…デマルチプレクサ
１１０…デコーダ
１１１…グラフィック処理部
１１２…ＯＳＤ信号生成部
１１３…映像信号処理部
１１４…表示部
１１５…音声信号処理部
１１６…音声出力部
１１７…制御部
１１８…ＲＯＭ
１１９…ＲＡＭ
１２０…不揮発性メモリ
１２１…赤外線受光部
１２２…操作入力部
１２３…リモートコントローラ
１２４…ＩＥＥＥ１３９４Ｉ／Ｆ
１２５，１２６，１２７，１２８…コネクタ
５０２…ルーター
５０５…通信Ｉ／Ｆ
５０６…端子
５０７…ケーブル
【図１】
2005223687.tif 000003
【図２】
2005223687.tif 000004
【図３】
2005223687.tif 000005
【図４】
2005223687.tif 000006
【図５】
2005223687.tif 000007
【図６】
2005223687.tif 000008
【図７】
2005223687.tif 000009